(57)【要約】ＲＦＩＤタグ、タグ回路及び受信周波数帯域幅を適合させる方法。タグは、受信周波数帯域幅設定に従う第一の受信無線信号をデコードするためのデコーダを有する。タグはまた、セレクタスイッチ、つまり、異なるフィルタを使用するように切り換えることで、異なる設定へと移行させるためのセレクタスイッチを有する。引き続いて受信された第二信号は、新たな受信周波数帯域幅の設定に従ってデコードされる。【選択図】図３
2007533269.tif 000002
【特許請求の範囲】
【請求項１】
受信周波数帯域幅の設定に従って受信された第一の無線信号をデコードするためのデコーダと、
第二の引続き受信される第二信号のデコーダによって、さらなるデコーディングを制御するために第二の異なる設定へと移行させるためのセレクタスイッチと、を備えたＲＦＩＤタグ。
【請求項２】
さらにフィルタを備え、前記セレクタスイッチが該フィルタの周波数帯域幅を調整する、請求項１に記載のタグ。
【請求項３】
前記フィルタがアクティブフィルタである、請求項２に記載のタグ。
【請求項４】
前記フィルタがパッシブフィルタである、請求項２に記載のタグ。
【請求項５】
前記周波数帯域幅が、ある領域に亘って連続的に調整可能とされた、請求項２に記載のタグ。
【請求項６】
前記フィルタが、抵抗、キャパシタンス、及びインダクタンスのうちの２つ以上を含み、
そして抵抗、キャパシタンス及びインダクタンスの少なくとも１つがスイッチでオン又はオフし得るようにされた、請求項２に記載のタグ。
【請求項７】
前記フィルタが、コンデンサ及び可変速度で切り換わるスイッチを含む、請求項２に記載のタグ。
【請求項８】
前記フィルタが共振器を含む、請求項２に記載のタグ。
【請求項９】
受信した信号の可能なパスにおいて複数のフィルタをさらに備え、
前記セレクタスイッチは、受信した第一及び第二信号が、前記パスにおいて異なるパスを通るように経路を定める、請求項１に記載のタグ。
【請求項１０】
前記デコーダが、第一信号のデコーディングに応答してデコードされた信号を生成するように構成され、
前記セレクタスイッチが、第一のデコードされた信号に応答して異なる設定へと移行させるように構成された、請求項１に記載のタグ。
【請求項１１】
前記デコーダが、デコードされた信号からトリガ信号を生成するようにさらに構成され、
前記トリガ信号に応答して前記セレクタスイッチを制御するように構成された、フィルタの周波数帯域幅調整器をさらに備えた、請求項１０に記載のタグ。
【請求項１２】
前記デコーダが、デコードされた信号をプリセットコードと比較するようにさらに構成され、そして比較結果に応答して前記トリガ信号を生成する、請求項１１に記載のタグ。
【請求項１３】
前記プリセットコードが少なくともプリアンブルの一部である、請求項１２に記載のタグ。
【請求項１４】
デコードされた信号が前記プリセットコードと一致する場合に、前記セレクタスイッチが異なる設定へと移行させるように構成されている、請求項１３のタグ。
【請求項１５】
デコードされた信号が前記プリセットコードと一致しない場合に、前記セレクタスイッチが異なる設定へと移行させるように構成されている、請求項１２に記載のタグ。
【請求項１６】
事前設定された期間後に、前記デコードされた信号が前記プリセットコードと一致しない場合に、前記セレクタスイッチが異なる設定へと移行させるように構成されている、請求項１２に記載のタグ。
【請求項１７】
前記の事前設定された期間が、プリアンブル継続時間の２倍とされた、請求項１６に記載のタグ。
【請求項１８】
前記デコーダがさらに第一信号のアクティブなデータレートを決定するとともに、
前記トリガ信号においてアクティブなデータレートをエンコードする、請求項１２に記載のタグ。
【請求項１９】
前記アクティブなデータレートが、デコードされた前記第一信号の連続的に受信されるシンボル間のビット周期を決定することによって決まる、請求項１８に記載のタグ。
【請求項２０】
デコードされた前記第一信号が、事前に関連付けられたデータレートを有するプリアンブルであり、
前記アクティブなデータレートが、事前に関連付けられたデータレートから決定される、請求項１８に記載のタグ。
【請求項２１】
前記プリセットコードがＤＡＴＡ  ＲＡＴＥコマンドであって、
デコードされた前記第一信号が、関連付けられたデータレート指令を持つＤＡＴＡ  ＲＡＴＥコマンドであり、
前記アクティブなデータレートが前記指令から決定される、請求項１８に記載のタグ。
【請求項２２】
第一及び第二の無線信号を受信する手段と、
第一受信周波数帯域幅設定に従う第一信号及び第一設定とは異なる第二周波数帯域幅設定に従う第二信号をデコードする手段と、
第一設定から第二設定へと移行させる手段と、を備えた装置。
【請求項２３】
デコードされた第一信号に応答して移行がなされる、請求項２２に記載の装置。
【請求項２４】
デコードされた第一信号をプリセットコードと比較する手段と、
比較結果に応じて前記第二設定へと移行させるか否かを決定する手段と、をさらに備えた、請求項２３に記載の装置。
【請求項２５】
移行しないことが決定された場合に、前記第二信号が前記第二設定の代わりに前記第一設定に従ってデコードされる、請求項２４に記載の装置。
【請求項２６】
前記プリセットコードが少なくともプリアンブルの一部である、請求項２４に記載の装置。
【請求項２７】
デコードされた前記第一信号が前記プリセットコードと一致しなかった場合に移行が決定される、請求項２４に記載の装置。
【請求項２８】
デコードされた前記第一信号が、事前に設定された待機時間の後に前記プリセットコードと一致しなかった場合に、移行が決定される、請求項２７に記載の装置。
【請求項２９】
事前に設定された待機時間が、プリアンブル継続時間の約２倍である、請求項２８に記載の装置。
【請求項３０】
デコードされた前記第一信号が前記プリセットコードと一致した場合に移行が決定される、請求項２４に記載の装置。
【請求項３１】
複数の受信周波数帯域幅の設定が与えられ、
前記第二設定が、利用可能な最大の受信周波数帯域幅に関連する複数の設定のうちの１つである、請求項２２に記載の装置。
【請求項３２】
前記第一設定が約５０ｋＨｚの周波数帯域幅に関連している、請求項３１に記載の装置。
【請求項３３】
前記第二設定が前記第一設定に依存する、請求項２２に記載の装置。
【請求項３４】
複数の受信周波数帯域幅の設定が与えられ、
前記第二設定が前記第一設定に比して徐々に変化していく、より小さな次の利用可能周波数帯域幅に関連する複数の設定のうちの１つである、請求項３３に記載の装置。
【請求項３５】
デコードされた前記第一信号からアクティブなデータレートを決定するための手段をさらに備え、
複数の受信周波数帯域幅の設定が与えられ、
前記第二設定がアクティブなデータレートに最も適合する周波数帯域幅に関連する複数の設定のうちの１つである、請求項２２に記載の装置。
【請求項３６】
前記アクティブなデータレートが、デコードされた前記第一信号の連続的に受信されるシンボル間のビット周期を決定することによって決まる、請求項３５に記載の装置。
【請求項３７】
デコードされた前記第一信号が、事前に関連付けられたデータレートを有するプリアンブルであり、
前記アクティブなデータレートが事前に関連付けられたデータレートから決定される、請求項３５に記載の装置。
【請求項３８】
デコードされた前記第一信号が、関連付けられたデータレート指令を持つＤＡＴＡ  ＲＡＴＥコマンドであり、
前記アクティブなデータレートが前記指令から決定される、請求項３５に記載の装置。
【請求項３９】
フィルタの周波数帯域幅の調整によって移行がなされる、請求項２２に記載の装置。
【請求項４０】
第一の受信信号と比較される第二の受信信号のパスを変更することによって移行がなされる、請求項２２に記載の装置。
【請求項４１】
信号パスが第一フィルタを含み、前記移行によって第二フィルタを通る信号を経路が決まる、請求項４０に記載の装置。
【請求項４２】
第一無線信号を受信して、
第一受信周波数帯域幅設定に従って第一信号をデコードし、
第一設定とは異なる第二受信周波数帯域幅の設定へと移行し、
第二無線信号を受信して、
第二設定に従って第二信号をデコードすること、を含むＲＦＩＤタグのための方法。
【請求項４３】
デコードされた第一信号に応答して移行がなされる、請求項４２に記載の方法。
【請求項４４】
デコードされた前記第一信号をプリセットコードと比較し、
比較結果に応じて前記第二設定へと移行させるか否かを決定すること、をさらに含む請求項３４に記載の方法。
【請求項４５】
移行しないことが決定された場合に、前記第二信号が前記第二設定の代わりに前記第一設定に従ってデコードされる、請求項４４に記載の方法。
【請求項４６】
前記プリセットコードが少なくともプリアンブルの一部である、請求項４４に記載の方法。
【請求項４７】
デコードされた前記第一信号が前記プリセットコードと一致しなかった場合に、移行が決定される、請求項４４に記載の方法。
【請求項４８】
事前に設定された待機時間の後にデコードされた前記第一信号が前記プリセットコードと一致しなかった場合に、移行が決定される、請求項４７に記載の方法。
【請求項４９】
事前に設定された待機時間が、プリアンブル継続時間の約２倍である、請求項４８に記載の方法。
【請求項５０】
デコードされた前記第一信号が前記プリセットコードと一致した場合に、移行が決定される、請求項４４に記載の方法。
【請求項５１】
前記第二設定とは異なる第三受信周波数帯域幅の設定へと移行させ、
第三信号を受信して、
第三設定に従って前記第三信号をデコードすること、をさらに含む請求項５０に記載の方法。
【請求項５２】
複数の受信周波数帯域幅の設定が与えられ、そして第二設定が利用可能な最大の受信周波数帯域幅に関連する複数のうちの１つである、請求項４２に記載の方法。
【請求項５３】
前記第一設定が約５０ｋＨｚの周波数帯域幅に関連している、請求項５２に記載の方法。
【請求項５４】
前記第二設定が第一設定に依存する、請求項４２に記載の方法。
【請求項５５】
複数の受信周波数帯域幅の設定が与えられ、
前記第二設定が前記第一設定に比して徐々に変化していく、より小さな次の利用可能周波数帯域幅に関連する複数の設定のうちの１つである、請求項５４に記載の方法。
【請求項５６】
デコードされた前記第一信号からアクティブなデータレートを決定することをさらに含み、
複数の受信周波数帯域幅の設定が与えられ、
前記第二設定がアクティブなデータレートに最も適合する周波数帯域幅に関連する複数の設定のうちの１つである、請求項４２に記載の方法。
【請求項５７】
前記アクティブなデータレートが、デコードされた前記第一信号の連続的に受信されるシンボル間のビット周期を決定することによって決まる、請求項５６に記載の方法。
【請求項５８】
デコードされた前記第一信号が、事前に関連付けられたデータレートを持つプリアンブルであり、
前記アクティブなデータレートが、事前に関連付けられたデータレートから決定される、請求項５６に記載の方法。
【請求項５９】
デコードされた前記第一信号が、関連付けられたデータレート指令を持つＤＡＴＡ  ＲＡＴＥコマンドであり、
前記アクティブなデータレートが前記指令から決定される、請求項５６に記載の方法。
【請求項６０】
フィルタの周波数帯域幅の調整によって移行がなされる、請求項４２に記載の方法。
【請求項６１】
第一の受信信号と比較される第二の受信信号のパスの変更によって移行がなされる、請求項４２に記載の方法。
【請求項６２】
信号パスが第一フィルタを含み、前記移行によって第二フィルタを通る信号の経路が決まる、請求項６１に記載の方法。
【発明の詳細な説明】
【技術分野】
【０００１】
本発明は無線周波数識別（ＲＦＩＤ）タグの分野に関し、特にその受信周波数帯域幅を適合させることが可能なタグに関する。
【背景技術】
【０００２】
無線周波数識別（ＲＦＩＤ）タグは、それらが付設された対象物の位置を探し、そして識別するために各種方法で使用することができる。ＲＦＩＤタグは製品関連及びサービス関連の産業において処理され、棚卸しされ又は取り扱われる多数の対象物を追跡するために、特に有用である。そのような場合、ＲＦＩＤタグは通常、個々の物品又はそれらのパッケージに取り付けられる。
【０００３】
原理的に、ＲＦＩＤ技術は、１つ以上のＲＦＩＤタグに問い合わせるためのＲＦＩＤ読取器（リーダ）と称するデバイスの使用を伴う。問合せは無線周波数（ＲＦ）波を送信することによって行われる。この問合せのＲＦ波を検出したタグは、後方散乱（ｂａｃｋｓｃａｔｔｅｒ）として知られているプロセスで、別のＲＦ波を送り返して応答する。後方散乱はいくつかの方法で行うことができる。その応答はタグ内部に記憶された数字をさらにエンコード（符号化）することができる。応答、及び可能ならば数字が読取器によってデコード（復号化）され、それによって関連する物品を識別し、計数するか又は物品との間で情報をやりとりする。この数字は、シリアル番号、価格、日付、宛先、他の属性、属性の任意の組み合わせ等を示すことができる。
【０００４】
ＲＦＩＤタグは通常、アンテナシステム、無線部、ロジック部及びメモリを含んでいる。半導体技術の進歩によって電子機器が非常に小サイズ化したので、ＲＦＩＤタグは、それが受信した無線信号だけで電力供給を受けて後方散乱を生成することができ、あるＲＦＩＤタグはバッテリなしで動作することができる。
【０００５】
ＲＦＩＤシステムの動作における難題は、他のＲＦ信号が近くで同時に送信されたときの干渉に起因する。ＲＦ信号への干渉については、例えば、他のＲＦＩＤ読取器、及びセルラー電話、携帯情報端末等、近隣の無線デバイスから生成される可能性がある。このような場合に、ＲＦＩＤタグは、問合せのＲＦ波を高い信頼性をもって検出できないか、又はそのコマンドを構文解析できない。
【０００６】
ＲＦＩＤ読取器は干渉があることを検出した場合に、その送信のデータレートを下げることができる。これによって送信信号を受け取る任意のＲＦＩＤタグは、信号をより確実に分析することができる。
【発明の開示】
【発明が解決しようとする課題】
【０００７】
しかしながら、前記の難題は、ＲＦＩＤ読取器によって送信のデータレートが変更されたことを、ＲＦＩＤタグが知り得ないという虞が生じることである。従って、ＲＦＩＤタグは、干渉するＲＦ信号から問合せのＲＦ波を識別することができない可能性がある。もしこのことが生じると、ＲＦＩＤタグは、応答のために問合せのＲＦ波を正しく分析できなくなる虞がある。
【課題を解決するための手段】
【０００８】
本発明は、従来技術を改良するものである。簡潔に言えば、本発明は受信周波数帯域幅（バンド幅）を適合させるための、ＲＦＩＤタグ、タグ回路、及び方法を提供する。本発明によるタグは、受信周波数帯域幅設定に従う第一の受信無線信号をデコードするためのデコーダを有する。そして、タグはまた、異なるフィルタを使用するように切り換えることで、異なる設定へと移行させるためのセレクタスイッチを有する。引き続いて受信される第二信号は新たな受信周波数帯域幅設定に従ってデコードされる。
【０００９】
本発明は、ＲＦＩＤタグが、到来した信号及びその環境に最も適した周波数帯域幅でデータを受信するように構成されるという利点を提供する。
【００１０】
本発明のこれらの特徴や他の特徴及び利点については、以下の詳細な記載及び添付図面を含む本発明の説明からさらに深く理解される。
【００１１】
本発明は、添付図面を参照した次の詳細な説明から、より容易に明らかとなる。
【発明を実施するための最良の形態】
【００１２】
本発明を以下に説明する。本発明はその好ましい形態で開示されているが、ここに開示され、そして図示された本発明の特定の実施形態については、制限された意味で考慮されるべきではない。むしろ、これらの実施形態は、本開示が綿密であって完全であり、発明の範囲を当業者に完全に伝えるように提供される。実際、本発明が各種の方法で変更可能であることは、本説明を見れば容易に明らかである。特に本発明は、デバイス、方法、ソフトウェア等で具体化することができる。
【００１３】
従って、本発明は、主にハードウェアの実施態様、主にソフトウェアの実施態様、又はソフトウェアとハードウェアとを組み合わせた実施態様での形態をとることができる。以下の詳細な説明は、従って限定的な意味に取られるべきではない。
【００１４】
また、本発明は、バッテリを用いるか又はバッテリを用いることなく動作可能なＲＦＩＤタグで実現することができる。
【００１５】
既述のように、本発明は、異なるフィルタを使用するように切り換えること等によって受信周波数帯域幅を適合させる、タグ回路及び方法を提供する。本発明を以下に詳説する。
【００１６】
図１は、本発明によるＲＦＩＤシステム１００の図である。ＲＦＩＤ読取器１１０は、問合せのＲＦ波を送信し、このＲＦ波は連続的であり得る。各信号が異なる処理を受ける可能性があることを示すために、２つのＲＦ信号１１２、１１３が不連続であるかのように示されているが、それは図示のためだけであって、実際上、それらは同じ連続した信号の一部であり得る。ＲＦＩＤ読取器１１０の近傍のＲＦＩＤタグ１２０は、問合せのＲＦ波を検出し、そして後方散乱（図示せず）を生成することができる。ＲＦＩＤ読取器１１０は、受信した如何なる後方散乱をも検出し、これを解釈する。
【００１７】
近傍では干渉も存在し、ここでは他の発信源（図示せず）からのＲＦ波１２２の形態で示されている。ＲＦ波１２２は、意図した問合せ信号１１２と同時にタグ１２０に到達する。ＲＦ波１２２は、問合せ信号１１２と同一の搬送周波数を持たない可能性がある一方で、ＲＦ波１２２は、信号１１２とのビート周波数を生成する、十分に近い搬送周波数を持っている可能性がある。ビート周波数は、以下に示すように受信と干渉する。
【００１８】
図２Ａ、２Ｂ、２Ｃは、３つの異なるデータレートでの、図１の問合せのＲＦ信号１１２についてサンプル波形２１２−Ａ、２１２−Ｂ、２１２−Ｃをそれぞれ表している。サンプル波形２１２−Ａ、２１２−Ｂ、２１２−Ｃはプリアンブルの波形であり、４個のゼロシンボルで始まり、次に「バイオレーション（規則違反）」と呼ばれる１個の事前設定されたシンボル、そして他のゼロシンボルが続く。全ての場合に、最初のローレベルのパルスは、少なくとも１２．５μｓｅｃ（マイクロ秒）の、同じ継続時間を持っており、これは時刻Ｔ１で検知され、そして測定できる。しかし、残りの遷移については、異なるデータレートで発生する。例えば、波形２１２−Ａ、２１２−Ｂ、２１２−Ｃは、それぞれ４０、８０、１６０ｋｂｐｓで発生する場合がある。
【００１９】
図３は、本発明の実施形態による、図１のＲＦＩＤタグ１２０の構成要素のグループ３２０を示すブロック図である。グループ３２０はタグ１２０の復調器の一部であり、タグ３２０はさらに別の構成要素を有することが分かる。グループ３２０のブロックについては、アナログ又はディジタル部品、マイクロプロセッサ、特定用途向け集積回路（ＡＳＩＣ）等の、技術的に既知とされる任意の方法で実現できる。
【００２０】
アンテナが信号１１２を受信し、そして遅れた信号１１３を受信したときに、アンテナ信号ＡＳがアンテナ（図示せず）から生成される。アンテナ信号ＡＳは包絡線（エンベロープ）検出器ブロック３４０に入力され、そこから次に包絡線信号ＥＳが出力される。
【００２１】
フィルタブロック３５０は、包絡線信号ＥＳを受け取り、それに応答してフィルタ処理された信号ＦＳを出力する。ブロック３５０は１つ以上のフィルタを含み、その周波数帯域幅は矢印３３４に従って調整することができる。
【００２２】
デコーダ３６０は、以下に示すように、単一のデコーダ３６０又は一群のデコーダのいずれかを含んでいる。デコーダ３６０は、アナログの、フィルタ処理された信号ＦＳを受け取り、さらなる処理のために、ディジタルの、デコードされた信号ＤＳを出力する。受信周波数帯域幅の設定は矢印３３５に従って制御可能とされる。尚、デコーダ３６０に関する別の可能な実施形態については、図７を参照して後述する。
【００２３】
グループ３２０はまた、セレクタスイッチ３３３を含む。図４を参照して後述するように、セレクタスイッチ３３３は、グループ３２０の受信周波数帯域幅の設定を制御する。本発明による制御については、異なるブロックを動作させることによって可能となる。図３の実施形態において、制御については、矢印３３４によってフィルタブロック３５０を動作させるか、又は矢印３３５によってブロック３６０を動作させるかの、いずれかで示されている。信号１１２がデコードされた後で設定が調整された場合に、信号１１３のような、遅れて受信された信号は、信号１１２とは異なる条件でデコードされる。
【００２４】
本発明のいくつかの実施形態では、セレクタスイッチ３３３が、デコードされた信号ＤＳに対して直ちに応答して設定を調整するように構成されている。ある実施形態において、デコーダ３６０はデコードされた信号ＤＳからトリガ信号ＴＳを生成し、そしてセレクタスイッチ３３３がトリガ信号ＴＳから制御されるようになっている。当然ではあるが、トリガ信号ＴＳが提供されるか否か、及びその正確な機能については特定の実施形態に依存する。また、ある場合には、１つの周波数帯域幅から別の周波数帯域幅への移行の決定がある場合にのみ、トリガ信号ＴＳが生成される。
【００２５】
図３の実施形態において、グループ３２０はまた受信周波数帯域幅調整器３８０を含んでいる。さらに周波数帯域幅調整器３８０は、トリガ信号ＴＳに対して直ちに応答してセレクタスイッチ３３３を制御するように構成されている。周波数帯域幅調整器３８０は、トリガ信号ＴＳを受け取り、そして制御信号ＣＳを生成し、該信号を用いてセレクタスイッチ３３３を制御する。いくつかの実施形態では、周波数帯域幅調整器３８０が、どの設定に切り換えるかを決定する。また、他の実施形態では、周波数帯域幅調整器３８０が、異なる設定へと移行させるか否かを決定する。
【００２６】
本発明のいくつかの実施形態において、デコーダ３６０はデコードされた信号ＤＳをプリセット（事前設定）コード７６８と比較するように構成されている。そのような場合に、トリガ信号ＴＳは比較結果に応答して生成される。プリセットコードは、図２Ａ、２Ｂ、２Ｃに示すようなプリアンブルの一部であり得る。
【００２７】
比較及びその結果については、本発明に従って多くの方法で実現することができる。多くの実施形態では、デコードされた信号がプリセットコードと一致しない場合に、セレクタスイッチが新たな設定へと移行させる。例えば、タグはプリアンブルを待っていることがあり、タグがプリアンブルを受信しない限り、タグは異なる設定を試みることがある。そのようないくつかの実施形態では、プリセット（事前設定）期間が経過してもデコードされた信号がプリセットコードに一致しない場合に設定が変更される。その期間は、例えば、プリアンブル継続時間の２倍又はそれと同等とされる。設定が良好な結果を与えなかった場合に、好ましくは、より低い周波数帯域幅で、別の設定を試行することができる。
【００２８】
他の多くの実施形態において、デコードされた信号がプリセットコードと一致した場合にセレクタスイッチが新たな設定へと移行させる。例えば、図２Ａ、２Ｂ、２Ｃを参照すると、時刻Ｔ１にて、プリアンブルの最初のローパルスが３つの周波数のいずれかにおいて受信されたと判断された場合に、設定はデフォルトで最高の周波数帯域幅へスキップし、そこから読取器に適合しようと企てて、より低い周波数帯域幅へと反対にたどってくることができる。いくつかの実施形態では、タグが最初は最低の周波数帯域幅設定から開始し、最高の周波数帯域幅へと移行し、それから再び最低の周波数帯域幅へと後戻りしていって終了する場合がある。
【００２９】
いくつかの実施形態において、タグ１２０のデコーダ３６０又は別の要素は、読取器１１０が送信している信号１１２のアクティブなデータレート（データ速度）を決定することができる。好ましい実施形態において、デコーダ３６０は、調整器３８０で使用するため、トリガ信号におけるアクティブなデータレートをエンコードする。
【００３０】
アクティブなデータレートは、あらゆる方法を用いて決定できる。ある実施形態において、ビット周期は、デコードされた第一信号の連続して受信されたシンボルの間で決定される。例えば、図２Ａ、２Ｂ、２Ｃを再度参照すると、ビット周期ＢＰ１、ＢＰ２、ＢＰ３がそれぞれの波形２１２−Ａ、２１２−Ｂ、２１２−Ｃにおいて測定され、それらは順次にアクティブなデータレートを齎す。別の実施形態では、慣例に従って様々なプリアンブルが様々なデータレートと事前に関連付けられるものとされる。その場合、アクティブなデータレートは識別されたプリアンブルから決定される。本発明のさらに別の実施形態では、ＤＡＴＡ  ＲＡＴＥコマンドが慣例に従って導入され、これは第一データレートでの信号１１２の送信中に使用され、次の信号１１３を第二データレートで送信するという、間近の変更を予告することができる。その場合、プリセットコードはＤＡＴＡ  ＲＡＴＥコマンドであって、デコードされた第一信号は、関連するデータレート指令を持ったＤＡＴＡ  ＲＡＴＥコマンドである。その場合に、アクティブなデータレートはその指令から決定される。
【００３１】
デコーダ３６０のこれら全ての機能についてはまた、タグ１２０の他の構成要素によって分散された方法で等価に実行することができる。
【００３２】
図４は、本発明による受信周波数帯域幅の選択を示す概念的な状態図４００である。状態図４００は電気的な考え方と同様に機能する。
【００３３】
状態図４００はブロック４５１、．．．、４５９を含んでおり、これらはグループ３２０で実行されるフィルタリング作用のための異なる受信周波数帯域幅の選択を表している。本発明のある実施形態において、利用可能なデータレートと同じく多数の周波数帯域幅の選択が提供されるが、そのことは本発明を実施する上で必要でない。他の実施形態において、図４００は、少なくとも１つの領域に亘って、連続的にチューニング（調整）可能な周波数帯域幅の選択を提供する。
【００３４】
状態図４００はまた、概念的なセレクタスイッチ４３３を含む。概念的なスイッチ４３３はブロック４５１、．．．、４５９のうち、どの１つがグループ３２０の受信周波数帯域幅の選択を設定するかを制御する。この回路は、ある周波数帯域幅から別の周波数帯域幅へと移行させるが、これはどのブロックを指すのかを変更するスイッチ４３３によって行うことができる。
【００３５】
図４の概念的な状態図については、多くの方法で実現できる。その数例をこれ以降に説明する。
【００３６】
あるグループの実施形態では、単一のフィルタが使用され、セレクタスイッチが該フィルタの周波数帯域幅を調整する。このフィルタはパッシブ（受動型）であってもアクティブ（能動型）であってもよい。その周波数帯域幅は、ある領域で連続的に調整可能とされるか、又は離散的な値に調整される。後者は、以下の例のように、別の構成要素をスイッチオンし又はスイッチオフすることで実施することができる。
【００３７】
図５は、第一フィルタ回路５２０の回路図であり、図３のグループ３２０におけるフィルタブロック３５０の一部である。回路５２０は、包絡線信号ＥＳを受け取り、かつフィルタ処理された信号ＦＳを出力するフィルタを実現する。２つの制御信号ＣＳ１、ＣＳ２は、セレクタスイッチ５３３Ａ、５３３Ｂをそれぞれに動作させ、既存の抵抗に対して追加の抵抗をスイッチオンし、またスイッチオフする。結果的に、制御信号ＣＳ１、ＣＳ２は、フィルタ回路５２０の周波数帯域幅を調整する。
【００３８】
図５の例からさらに進んで、フィルタは、１つの抵抗、１つのキャパシタンス及び１つのインダクタンスのうちの２つ以上、あるいは３つ全てを含んでもよい。含まれている抵抗、キャパシタンス及びインダクタンスの少なくとも１つをスイッチでオンし又はオフすることができる。また、他の実施形態において、フィルタは空洞、水晶等から構成された共振器を含む。さらに他の実施形態において、フィルタは、１つのコンデンサ及び可変速度でスイッチされる１つのスイッチから構成してもよい。他の実施形態では、弾性表面波（ＳＡＷ）の実装を用いるといったことが可能である。
【００３９】
別のグループの実施形態では、受信した信号の可能なパスにおいて、複数のフィルタを配置することができる。セレクタスイッチは、受信した第一及び第二信号が、複数のパスのうちの異なる１つのパスを通るように、その経路を定める。
【００４０】
図６は、第二フィルタ回路６２０についての、ブロック図と回路図が混在した図であり、図３におけるグループ３２０のフィルタブロック３５０の代替部である。回路６２０は、包絡線信号ＥＳを受け取り、かつフィルタ処理された信号ＦＳを出力するフィルタを実現する。複数のフィルタ６５１、６５２、６５３が包絡線信号ＥＳの可能なパスに配置され、セレクタスイッチ６３３Ａ、６３３Ｂは、フィルタ処理される包絡線信号ＥＳが異なるパスを通るように経路を決めることによって、回路を異なる周波数帯域幅へと移行させる。セレクタスイッチ６３３Ａ、６３３Ｂは制御信号ＣＳＡ、ＣＳＢに従って動作し、それ故、フィルタ回路６２０の全体的な周波数帯域幅を制御する。
【００４１】
別グループの実施形態では、フィルタリングが、異なる周波数帯域幅に従って行われ、異なるフィルタ処理された信号を生成し、その後にセレクタスイッチが、フィルタ処理された信号の１つを選択する。そのような実施形態をこれ以降に説明する。
【００４２】
図７Ａは、フィルタブロック７５０及びデコーダ７６０−Ａを示すブロック図７２０−Ａであり、それらはともに図３のグループ３２０のフィルタブロック３５０及びデコーダ３６０に類似している。フィルタブロック７５０は、異なる周波数帯域幅とされる、個々のフィルタ７５１、７５２、７５３を含む。これらのフィルタ７５１、７５２、７５３は全て包絡線信号ＥＳを受け取り、これに応答して個々のフィルタ処理された信号ＦＳ１、ＦＳ２、ＦＳ３をそれぞれに出力する。セレクタスイッチ７３４は制御信号ＣＳによって制御され、そして個々のフィルタ処理された信号ＦＳ１、ＦＳ２、ＦＳ３のうち、どの１つがフィルタ処理された信号ＦＳとなるかを選択する。別の実施形態では、セレクタスイッチ７３４が、フィルタブロック７５０とは別に設けられるのではなく、該ブロックの一部として提供される。これらの全実施形態において、制御信号ＣＳは、セレクタスイッチ７３４に向けられる。
【００４３】
注目すべきは、図７の実施形態において、セレクタスイッチ７３４がフィルタ７５１、７５２、７５３の後段に配置されていることである。それは実際の具体化にとって好ましいが、その理由は、それが全てのフィルタ７５１、７５２、７５３にいくらかの追加の静定時間を許容し、それによって、より信頼性の高い、フィルタ処理された信号ＦＳ１、ＦＳ２、ＦＳ３を選択する結果を齎すからである。しかしながら、セレクタスイッチ７３４を、フィルタ７５１、７５２、７５３の前段に配置することは、本発明の等価な実施形態の１つである。
【００４４】
図７Ａの実施形態において、デコーダ７６０−Ａは、フィルタ処理された信号ＦＳからディジタル信号ＭＳを生成するために検出決定部７６４−Ａを含んでいる。検出決定部７６４−Ａは、好ましくはアナログ信号からハイ（Ｈ）及びロー（Ｌ）の値を持つディジタル信号を生成するための比較器を含む。また、デコーダ７６０−Ａは、ディジタル信号ＭＳからデコードされた信号ＤＳを出力するための、解釈部（インタープリタ）７６６−Ａを含む。
【００４５】
図７Ｂは、フィルタブロック７５０及びデコーダ７６０−Ｂを示すブロック図７２０−Ｂであり、それらはともに図３のグループ３２０のフィルタブロック３５０及びデコーダ３６０に類似している。実際、フィルタブロック７５０はグループ７２０−Ａに示すものと同一であり、個々のフィルタ処理された信号ＦＳ１、ＦＳ２、ＦＳ３を出力する。
【００４６】
図７Ｂの実施形態において、デコーダ７６０−Ｂは、検出決定回路７６１、７６２、７６３のグループ７６４−Ｂを含み、その各々は図７Ａの検出決定部７６４と同様に形成される。検出決定回路７６１、７６２、７６３は、個々のフィルタ処理された出力信号ＦＳ１、ＦＳ２、ＦＳ３からディジタル信号ＭＳ１、ＭＳ２、ＭＳ３をそれぞれに生成する。
【００４７】
セレクタスイッチ７３５は、ディジタル信号ＭＳ１、ＭＳ２、ＭＳ３のうち、どの１つが選ばれて信号ＭＳとなるかを選択するように配置されている。別の実施形態では、セレクタスイッチ７３５がブロック７６４−Ｂとは別に設けられるのではなく、該ブロックの一部として提供される。
【００４８】
また、デコーダ７６０−Ｂは、先にグループ７２０−Ａで記述したものと同様の解釈部７６６−Ａを含んでいる。解釈部７６６−Ａは、ディジタル信号ＭＳからデコードされた信号ＤＳを出力する。他の実施形態では、３個の解釈部が設けられ、その１つの出力が選択される。
【００４９】
図８は、本発明の、ある実施形態による方法を示すフローチャート８００である。フローチャート８００の方法については、本発明の様々な実施形態、つまり、ＲＦＩＤタグ１２０や、構成要素のグループ３２０、５２０、６２０、７２０−Ａ、及び７２０−Ｂを有するＲＦＩＤタグを含む形態で実行することができるが、それらには限定されない。
【００５０】
ブロック８１０では、受信周波数帯域幅の設定が提供される。これは、工場での設定として、又は電源投入時に実行されるようにプログラムされた設定として実現できる。このブロックで与えられる設定は、それが変更されるまでの間、現行の設定となる。フローチャート８００のブロックの残りについては、この設定又は別の設定で実行される。
【００５１】
次ブロック８２０では、１つの信号が受信される。これは読取器等からのＲＦ無線信号であるか、又はＲＦ無線信号の受信に応答して回路の異なる部分で生成された信号である。
【００５２】
次ブロック８３０では、受信した信号がフィルタ処理される。これについては、受信信号から包絡線信号が抽出された後で実行し得る。それは現行の受信周波数帯域幅設定に従って１回だけ実行してもよいし、また多数回実行してもよく、その後に信号の１つが選択される。
【００５３】
次ブロック８４０では、信号が現行の受信周波数帯域幅設定に従ってデコードされる。これは、信号がフィルタ処理された後で実行できる。上記により、デコーディングは、現行の受信周波数帯域幅設定に従ってフィルタ処理され、及び／又は選択された信号から１回だけ実行することができる。又は、デコーディングが多数のフィルタ処理された信号に対して実行され、そして解釈の前又は後において、現行の受信周波数帯域幅の設定に従ってそれらの１つの選択が行われるようにしてもよい。
【００５４】
次ブロック８５０では、図４で示した設定の１つのような、新たな受信周波数帯域幅設定へと移行するか否かが決定される。ある実施形態では、上記のブロック８４０において現行の設定でデコードされた信号に従って決定が下される。また、ある実施形態では、デコードされた信号に応答して移行がなされる。
【００５５】
上記の決定については、デコードされた信号を、図７Ａ及び７Ｂのコード７６８のようなプリセットコードと比較することによって実行できる。ある実施形態において、コード７６８は少なくともプリアンブルの一部である。そして、第二設定へ移行するか否かの決定は、比較結果に依存する。
【００５６】
ブロック８５０で移行しないことが決定された場合には、実行はブロック８２０へ戻る。次に他の信号又は信号の一部が受信され、そして上記のように移行なしで同じ現行の設定で処理される。
【００５７】
ある実施形態では、ブロック８５０での比較において、デコードされた信号がプリセットコードと一致しない場合に移行が決定される。換言すると、ＲＦＩＤタグは、現行設定で受信したものを認識せずに、新たな周波数帯域幅の設定を試みる。そのような実施形態では、移行する前に、タグはいくらかの待機時間中に現行設定で受信する（あるいは「とどまる」）。その待機時間は、プリアンブル継続期間の２倍程度のような、任意の適切な時間とされる。
【００５８】
他の実施形態では、ブロック８５０での比較において、デコードされた信号がプリセットコードと一致した場合に移行が決定される。例えば、図２Ａ、２Ｂ、２Ｃを参照すると、時刻Ｔ１で、一致したプリセットコードは、多数のプリアンブルの開始のコードである。それ以降、いずれかへ移行が決定される。
【００５９】
ブロック８５０において移行が決定された場合に、オプションの次ブロック８６０では、新たな設定のどれに移行するかが決定される。ある場合には、複数の受信周波数帯域幅設定が与えられ、その各々が異なる受信周波数帯域幅に対応する。これらの場合のいくつかにおいて、周波数帯域幅は連続的である。その選択は周波数帯域幅に従ってなされる。
【００６０】
いくつかの実施形態では、新たな設定が最大の周波数帯域幅を持つ設定とされる。例えば、図２Ａ、２Ｂ、２Ｃを参照すると、最初のプリアンブルに対する時刻Ｔ１までの受信が、一定の、例えば約５０ｋＨｚの周波数帯域幅で行われる。そして、検出時に、新たな設定がデフォルト設定にて最高の周波数帯域幅をもつ設定とされる。
【００６１】
他の実施形態において、新たな設定は現行設定に依存する。例えば、新たな設定は徐々に周波数帯域幅を減少させる設定とすることができる。不連続な周波数帯域幅の選択肢が与えられる場合に、より小さな次の選択肢をもつステップまで減少することになる。そのような場合、ＲＦＩＤタグは最低値に到達するまで、順次に周波数帯域幅を減少させることができる。これらの実施形態のいくつかでは、ＲＦＩＤタグは最高値から開始することができる。
【００６２】
さらに他の実施形態においては、送信のアクティブなデータレートが、デコードされた信号から決定される。そして、順次に試行する必要はなく、その代わりに新たな設定については、アクティブなデータレートに最も適合した周波数帯域幅を持つ設定とすることができる。
【００６３】
送信のアクティブなデータレートは、様々な方法で決定できる。ある実施形態では、アクティブなデータレートが、デコードされた信号の、連続して受信されるシンボル間のビット周期を調べて決定することによって決まる。別の実施形態において、デコードされた信号は、事前に関連付けられたデータレートを持つプリアンブルであり、そしてアクティブなデータレートが、事前に関連付けられたデータレートから決定される。さらに別の実施形態では、デコードされた第一信号がＤＡＴＡ  ＲＡＴＥコマンドであり、それに関連するデータレート指令が続く。ＤＡＴＡ  ＲＡＴＥコマンドは慣例に従って取り決められる。アクティブなデータレートはその指令から決定される。
【００６４】
オプションの次ブロック８７０では、次の決定された設定への移行がある。この移行は、例えば、フィルタの周波数帯域幅を調整し、又は受信された信号パスを変更する等により、様々な方法で実現できる。信号パスは第一フィルタを含み、そしてスイッチングにより、次の信号が第二フィルタを通るように経路を定めることができる。
【００６５】
実行は次にブロック８２０に戻る。そして他の信号又は信号の一部が受信され、これは上記のように新たな設定で処理される。
【００６６】
以下、受信周波数帯域幅の設定を切り換えることの効果及び利点を説明する。
【００６７】
図９Ａは、図１のＲＦＩＤタグのアンテナに同時に到着する、２つのＲＦ信号のパワースペクトル密度を示す強度−周波数図である。信号１１２は搬送波Ｓ１１２を有し、その信号の残りが搬送波の周辺に分布しているのに対して、信号１２２は搬送波Ｓ１２２を有する。尚、説明の簡単化のため、信号１２２を搬送波のみと仮定しているが、そうである必要はない。これらの信号はともにアンテナ信号ＡＳを形成する。
【００６８】
図９Ｂは、図３の包絡線検出器から出る、図９Ａの干渉信号のパワースペクトル密度を示す強度−周波数図である。減衰や増幅等により、図は必ずしも縦軸に沿ってスケールどおりではないことが理解される。信号１１２は搬送波Ｓ１１２及びその周辺の信号として存在しており、そしてまた直流周波数搬送波Ｓ０の周囲に反復されている。搬送波Ｓ１２２は同様に現れる。加えて、干渉はまた、搬送波Ｓ１１２とＳ１２２との減算によって差ビート周波数ＳＤ１を引き起こし、両搬送波の加算によって和ビート周波数ＳＳ１を引き起こす。差ビート周波数ＳＤ１及び和ビート周波数ＳＳ１の各々は、その周辺に信号を有する。これら全ての信号は包絡線信号ＥＳを形成する。
【００６９】
信号のフィルタリングは、有利には、直流周波数搬送波Ｓ０の周辺において実行される。これが好ましい理由は、帯域通過フィルタの代わりに低域通過フィルタだけを用いれば済むからである。周波数帯域幅を減少させる一連の設定に対応した、３つの選択を以下に示す。
【００７０】
図９Ｃは、図９Ｂの信号に応答して図３のフィルタブロックから出てくる信号のパワースペクトル密度を示す強度−周波数図である。第一フィルタ周波数帯域幅である選択９５１がなされている。注目すべきは、フィルタ処理された信号ＦＳ１が、目的とする成分ＦＳ０を含むが、しかし差ビート周波数ＳＤ１及びその周辺の信号をも含むことである。さらには、他の全ての信号が排除されていることが注目される。
【００７１】
図９Ｄは、図９Ｂの信号に応答して図３のフィルタブロックから出てくる信号のパワースペクトル密度を示す強度−周波数図である。第二フィルタ周波数帯域幅の選択９５２がなされている。差ビート周波数ＳＤ１の周辺の一部の信号もまた排除されているという点において、フィルタ処理された信号ＦＳ２は、フィルタ処理された信号ＦＳ１よりもさらに功を奏することが注目される。
【００７２】
図９Ｅは、図９Ｂの信号に応答して図３のフィルタブロックから出てくる信号のパワースペクトル密度を示す強度−周波数図である。第三フィルタ周波数帯域幅の選択９５３がなされている。差ビート周波数ＳＤ１の周辺の全ての信号が排除されているので、フィルタ処理された信号ＦＳ３は、フィルタ処理された信号ＦＳ２よりもさらに功を奏することが注目される。
【００７３】
以上の説明では多数の詳細について示したが、それらは全体として本発明の、より徹底した理解を与えるものとして捉えられるべきである。他の例では、既知の特長は詳細に説明されなかったが、これは本発明を不必要に分かり難くしないためである。
【００７４】
本発明はここで開示された各種要素、特長、機能及び／又は性質の結合及び副結合を含む。請求項は新規性があり、自明でないと見做される、いくつかの結合及び副結合を規定している。特長、機能、要素及び／又は性質についての、他の結合及び副結合に対する追加の請求項は本文書又は関連文書において示すことができる。
【図面の簡単な説明】
【００７５】
【図１】本発明によるＲＦＩＤシステムのブロック図である。
【図２Ａ】３つの異なるデータレートにおける、図１の問合せＲＦ波の波形を示す図である。
【図２Ｂ】３つの異なるデータレートにおける、図１の問合せＲＦ波の波形を示す図である。
【図２Ｃ】３つの異なるデータレートにおける、図１の問合せＲＦ波の波形を示す図である。
【図３】本発明の一実施形態による図１のＲＦＩＤタグについて、一群の構成要素を示すブロック図である。
【図４】本発明による図３のＲＦＩＤタグにおいて、受信された無線信号をデコードするための受信周波数帯域幅設定を制御する能力を示す概念的な状態図である。
【図５】本発明による図４の選択を実行するための第一回路について、その一部を示す回路図である。
【図６】本発明による図４の選択を実行するための第二回路について、ブロック図と回路図が混在した図である。
【図７Ａ】図４の選択を実行するための第三回路を示すブロック図である。
【図７Ｂ】図７Ａの回路について別の実施形態を示すブロック図である。
【図８】本発明の実施形態に従った方法を示すフローチャート図である。
【図９Ａ】図１のＲＦＩＤタグのアンテナに同時に到達する、２つのＲＦ信号のパワースペクトル密度を示す強度−周波数図である。
【図９Ｂ】図３の包絡線検出器から出る、図９Ａの干渉信号のパワースペクトル密度を示す強度−周波数図である。
【図９Ｃ】第一フィルタ周波数帯域幅選択が実行された場合において、図９Ｂの信号に応答して図３のフィルタブロックから出る信号のパワースペクトル密度を示す強度−周波数図である。
【図９Ｄ】第二フィルタ周波数帯域幅選択が実行された場合において、図９Ｂの信号に応答して図３のフィルタブロックから出る信号のパワースペクトル密度を示す強度−周波数図である。
【図９Ｅ】第三フィルタ周波数帯域幅選択が実行された場合において、図９Ｂの信号に応答して図３のフィルタブロックから出る信号のパワースペクトル密度を示す強度−周波数図である。
【図１】
2007533269.tif 000003
【図２Ａ】
2007533269.tif 000004
【図２Ｂ】
2007533269.tif 000005
【図２Ｃ】
2007533269.tif 000006
【図３】
2007533269.tif 000007
【図４】
2007533269.tif 000008
【図５】
2007533269.tif 000009
【図６】
2007533269.tif 000010
【図７Ａ】
2007533269.tif 000011
【図７Ｂ】
2007533269.tif 000012
【図８】
2007533269.tif 000013
【図９Ａ】
2007533269.tif 000014
【図９Ｂ】
2007533269.tif 000015
【図９Ｃ】
2007533269.tif 000016
【図９Ｄ】
2007533269.tif 000017
【図９Ｅ】
2007533269.tif 000018
【手続補正書】
【提出日】平成18年8月28日(2006.8.28)
【手続補正１】
【補正対象書類名】特許請求の範囲
【補正対象項目名】全文
【補正方法】変更
【補正の内容】
【特許請求の範囲】
【請求項１】
第一の受信周波数帯域幅の設定に従って受信された第一の無線信号をデコードするように作動するデコーダと、
第一のデコードされた信号に応答して、第二の受信周波数帯域幅の設定、及び該第二の受信周波数帯域幅の設定とは異なる第三の受信周波数帯域幅の設定のうちの１つを選択するように作動するセレクタスイッチとを備え、前記デコーダが、選択された受信設定に従って、引続き受信される第二信号をさらにデコーダするように作動するＲＦＩＤタグ。
【請求項２】
前記第一の受信周波数帯域幅が、前記第二及び前記第三の受信周波数帯域幅の設定の１つと同じである、請求項１に記載のタグ。
【請求項３】
前記第一の受信周波数帯域幅が、前記第二及び前記第三の受信周波数帯域幅の設定と異なる、請求項１に記載のタグ。
【請求項４】
さらにフィルタを備え、前記セレクタスイッチが該フィルタの周波数帯域幅を調整する、請求項１に記載のタグ。
【請求項５】
前記フィルタがアクティブフィルタである、請求項４に記載のタグ。
【請求項６】
前記フィルタがパッシブフィルタである、請求項４に記載のタグ。
【請求項７】
前記周波数帯域幅が、ある領域に亘って連続的に調整可能とされた、請求項４に記載のタグ。
【請求項８】
前記フィルタが、コンデンサ及び可変速度で切り換わるように構成されたスイッチを含む、請求項４に記載のタグ。
【請求項９】
受信した信号の可能なパスにおいて複数のフィルタをさらに備え、
前記セレクタスイッチは、受信した第一及び第二信号が、前記パスにおける異なるパスを通るように経路を定める構成とされた、請求項１に記載のタグ。
【請求項１０】
前記デコーダが、第一信号のデコーディングに応答してトリガ信号を生成するようにさらに構成され、
前記トリガ信号に応答して前記セレクタスイッチを制御するように構成された、フィルタの周波数帯域幅調整器をさらに備えた、請求項１に記載のタグ。
【請求項１１】
前記デコーダが、デコードされた信号をプリセットコードと比較するようにさらに機能し、そして前記セレクタスイッチが比較結果に応答して選択を行うように機能する、請求項１に記載のタグ。
【請求項１２】
前記プリセットコードが少なくともプリアンブルの一部である、請求項１１に記載のタグ。
【請求項１３】
前記デコーダが、第一信号からアクティブなデータレートを決定するように機能し、そして前記セレクタスイッチが該アクティブなデータレートに応答して選択を行うように機能する、請求項１に記載のタグ。
【請求項１４】
デコードされた信号が、事前に関連付けられたデータレートを有するプリアンブルである、請求項１３のタグ。
【請求項１５】
前記アクティブなデータレートが、デコードされた前記第一信号の受信されたシンボルからビット周期を決定することによって決まる、請求項１３に記載のタグ。
【請求項１６】
デコードされた前記信号が、前記アクティブなデータレートを指示するＤＡＴＡ  ＲＡＴＥコマンドである、請求項１３に記載のタグ。
【請求項１７】
第一無線信号を受信して、
第一の受信周波数帯域幅の設定に従って第一信号をデコードし、
第一のデコードされた信号に応答して、第二の受信周波数帯域幅の設定、及び該第二の受信周波数帯域幅の設定とは異なる第三の受信周波数帯域幅の設定のうちの１つを選択し、
第二無線信号を受信して、
選択された設定に従って第二信号をデコードすること、を含むＲＦＩＤタグを操作するための方法。
【請求項１８】
前記第一の受信周波数帯域幅が、前記第二及び前記第三の受信周波数帯域幅の設定の１つと同じである、請求項１７に記載の方法。
【請求項１９】
前記第一の受信周波数帯域幅が、前記第二及び前記第三の受信周波数帯域幅の設定と異なる、請求項１７に記載の方法。
【請求項２０】
フィルタの周波数帯域幅を調整することによって選択を行う、請求項１７に記載の方法。
【請求項２１】
第一の受信した信号に応答して第二の受信した信号のパスを変更することで選択を行う、請求項１７に記載の方法。
【請求項２２】
信号パスが第一フィルタを含み、選択によって第二フィルタを通る信号の経路を決める、請求項１７に記載の方法。
【請求項２３】
トリガ信号を生成することを含み、該トリガ信号に応答して選択を行う、請求項１７に記載の方法。
【請求項２４】
第一の設定、第二の設定、及び第三の設定とは異なる第四の受信周波数帯域幅の設定を選択し、
第三無線信号を受信し、
第四の設定に従って第三信号をデコードすることをさらに含む、請求項１７に記載の方法。
【請求項２５】
デコードされた信号をプリセットコードと比較することをさらに含み、
比較結果に応答して選択を行う、請求項１７に記載の方法。
【請求項２６】
前記プリセットコードが少なくともプリアンブルの一部である、請求項２５に記載の方法。
【請求項２７】
デコーディングが、第一信号からアクティブなデータレートを決定することを含み、
前記アクティブなデータレートに応答して選択を行う、請求項１７に記載の方法。
【請求項２８】
デコードされた信号が、事前に関連付けられたアクティブなデータレートを有するプリアンブルである、請求項２７に記載の方法。
【請求項２９】
前記アクティブなデータレートが、デコードされた前記第一信号の受信されたシンボルからビット周期を決定することによって決まる、請求項２７に記載の方法。
【請求項３０】
前記デコードされた信号が、前記アクティブなデータレートを指示するＤＡＴＡ  ＲＡＴＥコマンドである、請求項２７に記載の方法。
【請求項３１】
第一の受信周波数帯域幅の設定に従って受信された第一の無線信号をデコードするように作動するデコーダと、
第一のデコードされた信号に応答して、第二の受信周波数帯域幅の設定、及び該第二の受信周波数帯域幅の設定とは異なる第三の受信周波数帯域幅の設定のうちの１つを選択するように作動するセレクタスイッチとを備え、前記デコーダがさらに、選択された受信設定に従って、引続き受信される第二信号をデコーダするように作動する、ＲＦＩＤタグ用の回路。
【請求項３２】
前記第一の受信周波数帯域幅が、前記第二及び前記第三の受信周波数帯域幅の設定の１つと同じである、請求項３１に記載の回路。
【請求項３３】
前記第一の受信周波数帯域幅が、前記第二及び前記第三の受信周波数帯域幅の設定と異なる、請求項３１に記載の回路。
【請求項３４】
さらにフィルタを備え、前記セレクタスイッチが該フィルタの周波数帯域幅を調整する、請求項３１に記載の回路。
【請求項３５】
前記フィルタがアクティブフィルタである、請求項３４に記載の回路。
【請求項３６】
前記フィルタがパッシブフィルタである、請求項３４に記載の回路。
【請求項３７】
前記周波数帯域幅が、ある領域に亘って連続的に調整可能とされた、請求項３４に記載の回路。
【請求項３８】
前記フィルタが、コンデンサ及び可変速度で切り換わるように構成されたスイッチを含む、請求項３４に記載の回路。
【請求項３９】
受信した信号の可能なパスにおいて複数のフィルタをさらに備え、
前記セレクタスイッチは、受信した第一及び第二信号が、前記パスにおける異なるパスを通るように経路を定める、請求項３１に記載の回路。
【請求項４０】
前記デコーダが、第一信号のデコーディングに応答してトリガ信号を生成するように、さらに構成され、
前記トリガ信号に応答して前記セレクタスイッチを制御するように構成された、フィルタの周波数帯域幅調整器をさらに備えた、請求項３１に記載の回路。
【請求項４１】
前記デコーダが、デコードされた信号をプリセットコードと比較するようにさらに機能し、そして前記セレクタスイッチが比較結果に応答して選択を行うように機能する、請求項３１に記載の回路。
【請求項４２】
前記プリセットコードが少なくともプリアンブルの一部である、請求項４１に記載の回路。
【請求項４３】
前記デコーダが、第一信号からアクティブなデータレートを決定するように機能し、そして前記セレクタスイッチが該アクティブなデータレートに応答して選択を行うように機能する、請求項３１に記載の回路。
【請求項４４】
デコードされた第一信号が、事前に関連付けられたアクティブなデータレートを有するプリアンブルである、請求項４３の回路。
【請求項４５】
前記アクティブなデータレートが、前記デコードされた第一信号の受信されたシンボルからビット周期を決定することによって決まる、請求項４３に記載の回路。
【請求項４６】
前記デコードされた信号が、前記アクティブなデータレートを指示するＤＡＴＡ  ＲＡＴＥコマンドである、請求項４３に記載の回路。
【国際調査報告】
2007533269.tif 000019
2007533269.tif 000020
2007533269.tif 000021